(57)【要約】  表示装置本体３００の表示面３１１に本体反射防止層３１２を設ける。表示面３１１に所定の間隙を介して対向配置する光学フィルタ４００の両面に、第１の反射防止層４３０および第２の反射防止層４４０を設ける。光学フィルタ４００の表示面３１１側に透光性基材４１０および第１の反射防止層４３０間で表示装置本体３００の外周縁に対応する周縁領域に遮光性を有する画面枠層４２０を設ける。画面枠層４２０の位置と表示装置本体３００の表示領域の位置との色差を４０以下とする。表示領域と画面枠層４２０との境界が見えにくくなり、光学フィルタ４００の全面に亘って境界のない同一面として利用者に認識させることができ、視覚上の一体感を利用者に提供できる。
2010055564.tif 000002
【特許請求の範囲】
【請求項１】
表示装置本体の表示面に所定の間隙を介して対向配設される光学フィルタであって、
薄板状の透光性基材と、
この透光性基材の前記表示面に対向する面の前記表示装置本体の外周縁に対応する周縁領域に設けられた遮光性を有する画面枠層と、
前記透光性基材の前記表示面に対向する面と反対側の面に設けられた外側反射防止層と、を具備し、
前記画面枠層の位置での反射色と前記表示装置本体の表示面における反射色との色差が４０以下である
ことを特徴とした光学フィルタ。
【請求項２】
請求項１に記載の光学フィルタであって、
前記透光性基材の前記表示面に対向する面の前記画面枠層に亘る領域または前記画面枠層の内周側に設けられた内側反射防止層を備えた
ことを特徴とした光学フィルタ。
【請求項３】
請求項１または請求項２に記載の光学フィルタであって、
前記画面枠層は、内周縁側が外周縁側から次第に透光性を有する状態に設けられた
ことを特徴とした光学フィルタ。
【請求項４】
請求項２に記載の光学フィルタであって、
前記画面枠層は、内周縁側が外周縁側から次第に透光性を有する状態に設けられ、
前記画面枠層の前記表示面側に積層形成され、前記表示装置本体が表示していない状態での前記表示面と同一または近似する色の保護色層を備えた
ことを特徴とした光学フィルタ。
【請求項５】
請求項１ないし請求項４のいずれかに記載の光学フィルタであって、
前記透光性基材と前記外側反射防止層との間に設けられ、光の透過を抑制する光透過抑制層を備えた
ことを特徴とした光学フィルタ。
【請求項６】
請求項１ないし請求項５のいずれかに記載の光学フィルタであって、
前記透光性基材と前記外側反射防止層との間に設けられ、近赤外線を吸収する近赤外線吸収層を備えた
ことを特徴とした光学フィルタ。
【請求項７】
請求項１ないし請求項６のいずれかに記載の光学フィルタであって、
前記透光性基材と前記外側反射防止層との間に設けられ、ネオン発光の透過を抑制するネオン発光遮光層を備えた
ことを特徴とした光学フィルタ。
【請求項８】
表示面を有する表示装置本体と、
この表示装置本体の前記表示面側に所定の間隙を介して対向配設される請求項１ないし請求項７のいずれかに記載の光学フィルタと、
を具備したことを特徴とした表示装置。
【請求項９】
請求項８に記載の表示装置であって、
前記表示面を外側に臨む状態で前記表示装置本体を収容し、かつ前記光学フィルタの前記画面枠層が設けられた領域に周縁部が位置する状態で前記光学フィルタが取り付けられる筐体を備えた
ことを特徴とした表示装置。
【請求項１０】
請求項８または請求項９に記載の表示装置であって、
前記表示装置本体の表示面には、反射防止処理が施された
ことを特徴とした表示装置。
【請求項１１】
請求項１０に記載の表示装置であって、
前記表示面に施された反射防止は、少なくとも前記光学フィルタの画面枠層の内周側に対応する位置より外周側に至る領域まで設けられている
ことを特徴とした表示装置。
【請求項１２】
請求項８ないし請求項１１のいずれかに記載の表示装置であって、
前記表示装置本体は、プラズマディスプレイパネルである
ことを特徴とした表示装置。
【発明の詳細な説明】
【技術分野】
【０００１】
本発明は、反射防止層を有する光学フィルタおよびこの光学フィルタを備えた表示装置に関する。
【背景技術】
【０００２】
従来、例えばプラズマディスプレイパネル（ＰＤＰ：Plasma Display Panel）や液晶パネルなどの表示面側に、反射防止層を有した光学フィルタが設けられた表示装置が知られている（例えば、特許文献１または特許文献２参照）。【０００３】
特許文献１に記載のものは、電磁波遮蔽層、赤外線吸収層および反射防止層を有する光学フィルタを粘着層にて表示面に貼着されたＰＤＰを備えている。
また、ＰＤＰの表示面側に、両面に反射防止層が設けられた強化ガラスなどで形成された光学フィルタ板を、所定の間隙を介して対向して配設させ、ＰＤＰと光学フィルタ板とで外光が二重に反射されることによる二重映りを防止している。【０００４】
特許文献２に記載のものは、反射防止フィルムを表示面に貼り付けたＰＤＰを、表示された画像を視認可能な表示領域を外部に臨ませる化粧枠を有した筐体内に収容している。すなわち、ＰＤＰの周縁部が外部に臨まないように化粧枠にて覆う構成としている。【０００５】
【特許文献１】特開２０００−１５６１８２号公報
【特許文献２】特開２００７−２６４６０５号公報
【発明の開示】
【発明が解決しようとする課題】
【０００６】
しかしながら、上記特許文献２に記載のような化粧枠にてＰＤＰの周縁部分を覆う構成では、ＰＤＰの配線が外部に臨まず外観が損なわれることを防止できる一方、ＰＤＰの表示面と化粧枠とに段差が生じてしまう。また、表示領域は製造性や構造上などの理由で表示面の全面に亘って形成されていないため、表示領域でない部分を覆い隠す必要がある。
これらのように、例えば表示面側に段差が生じないようなデザイン構成とするなどの設計自由度の向上や外観の向上などが臨まれている。【０００７】
本発明は、このような点に鑑みて、視覚上の一体感が得られ良好な外観を提供できる光学フィルタおよびこの光学フィルタを備えた表示装置を提供することを１つの目的とする。
【課題を解決するための手段】
【０００８】
本発明に記載の光学フィルタは、表示装置本体の表示面に所定の間隙を介して対向配設される光学フィルタであって、薄板状の透光性基材と、この透光性基材の前記表示面に対向する面の前記表示装置本体の外周縁に対応する周縁領域に設けられた遮光性を有する画面枠層と、前記透光性基材の前記表示面に対向する面と反対側の面に設けられた外側反射防止層と、を具備し、前記画面枠層の位置での反射色と前記表示装置本体の表示面における反射色との色差が４０以下であることを特徴とする。【０００９】
本発明に記載の表示装置は、表示面を有する表示装置本体と、この表示装置本体の前記表示面側に所定の間隙を介して対向配設される請求項１ないし請求項７のいずれかに記載の光学フィルタと、を具備したことを特徴とする。
【図面の簡単な説明】
【００１０】
【図１】本発明の一実施形態に係る表示装置の概略構成を示す分解断面図である。
【図２】図１における表示装置本体と光学フィルタとの概略構成を示す断面図である。
【図３】他の実施形態における表示装置本体と光学フィルタとの概略構成を示す断面図である。
【図４】第二実施形態における表示装置本体と光学フィルタとの概略構成を示す断面図である。
【図５】第三実施形態における表示装置本体と光学フィルタとの概略構成を示す断面図である。
【図６】ＳＣＥ反射色の測定位置を概略的に示す説明図である。
【図７】一体感ありとの評価者の割合と色差ΔE*abとの関係を示すグラフである。
【符号の説明】
【００１１】
１００…表示装置
２００…筐体
３００…表示装置本体
３１０…プラズマディスプレイパネル（ＰＤＰ）本体
３１１…表示面
３１２…本体反射防止層
４００，５００，６００…光学フィルタ
４１０…透光性基材
４２０，４５０…画面枠層
４３０…内側反射防止層としての第１の反射防止層
４４０…外側反射防止層としての第２の反射防止層
５１０…保護色層
６１０…光透過抑制層である光透過抑制機能層
【発明を実施するための最良の形態】
【００１２】
＜第一実施形態＞
［表示装置の構成］
以下に、本発明の表示装置の第一実施形態の構成を図面に基づいて説明する。
図１は、表示装置の概略構成を示す分解斜視図である。図２は、表示装置本体と光学フィルタとの概略構成を示す断面図である。
なお、図１および図２は、構成を理解しやすくするために、各構成の厚さ寸法を誇張して表現している。また、図２は、説明の都合上、フレキシブルケーブルを接続させる構成を省略して表現している。【００１３】
図１において、１００は表示装置で、この表示装置１００は、図示しない入力端子に入力された静止画像や映像などの画像データを画面表示する装置である。
この表示装置１００は、筐体２００と、表示装置本体３００と、光学フィルタ４００と、などを備えている。【００１４】
筐体２００は、一面が開口された略四角薄箱状に形成されている。この筐体２００は、表示装置本体３００と、光学フィルタ４００とが取り付けられる図示しない中ケースを取り付け可能となっている。【００１５】
表示装置本体３００は、ＰＤＰ本体３１０と、ＰＤＰ本体３１０に画面表示させる制御部３２０と、ＰＤＰ本体３１０および制御部３２０を接続するフレキシブルケーブル３３０と、などを備えている。
ＰＤＰ本体３１０は、例えばＨｅ−Ｘｅ（ヘリウム−キセノン）系やＮｅ−Ｘｅ（ネオン−キセノン）系の不活性ガスが封入される放電空間を介して互いに対向配置された対をなす図示しない基板を有している。そして、ＰＤＰ本体３１０は、一面側に画面表示する表示領域を有した表示面３１１が形成されている。
また、ＰＤＰ本体３１０の表示面３１１には、図１および図２に示すように、本体反射防止層３１２が被覆形成されている。この本体反射防止層３１２は、例えば、ＡＲ（Anti-Reflection）処理やＡＧ（Anti-Glare）処理など、各種の方法を適用できる。なお、本体反射防止層３１２のみに限らず、例えば、可視光を十分に透過する状態に電磁波を遮蔽する金属層である電磁波遮蔽層や防汚層、黒色化のための色層などを設けるなどしてもよい。
制御部３２０は、図示しない画像表示を制御する駆動回路や電力を供給する電源回路などを有している。【００１６】
光学フィルタ４００は、薄板状の透光性基材４１０を有している。この透光性基材４１０は、例えば、ガラス基板やアクリル板などの合成樹脂板などが用いられる。
そして、透光性基材４１０の一面側、すなわち表示装置本体３００の表示面３１１に対向して配設された状態での表示面３１１に対向する面には、周縁に沿って枠状に画面枠層４２０が設けられている。
この画面枠層４２０は、図１に示すような表示装置１００として組み付けられる状態では、少なくとも表示装置本体３００の周縁部に対応する位置から透光性基材４１０の周縁に至る周縁部分に設けられる。特に、ＰＤＰ本体３１０の画像データが表示される表示領域の最外周縁に対応する位置から透光性基材４１０の周縁に至る周縁部分に設けられることが好ましい。
そして、この画面枠層４２０は、例えば黒色顔料を含有し、遮光性を有している。すなわち裏面側が見えないようになっている。また、画面枠層４２０は、この画面枠層４２０の位置での光学フィルタ４００の反射色と、ＰＤＰ本体３１０の表示面３１１の表示領域における反射色との色差が、４０以下となるように形成されている。
ここで、色差は、ＪＩＳ−Ｚ−８７２２の条件Ｃに準拠したＳＣＥ（Specular Component Exclude：正反射光除去）測定法により測定したＰＤＰ本体３１０の表示面３１１のＳＣＥ反射色と、光学フィルタ４００の画面枠層４２０の位置における利用者が視認する側となる外面側から同様に測定したＳＣＥ反射色との差である。この色差が４０以下となるＳＣＥ反射色に、画面枠層４２０が形成されている。【００１７】
なお、画面枠層４２０は、外周縁側と内周縁側との遮光性が同等な均一な特性としてもよいが、例えば図３に示す画面枠層４５０のように、内周縁側になるに従って遮光性が低下すなわち内周縁側になるに従って透光性を有する状態に設けることが好ましい。このことにより、画面枠層４５０を透して表示装置本体３００の表示面３１１が画面枠層４５０の内周縁側に従って見える状態となる。
この内周縁側に従って透光性が増大する形成方法としては、内周縁側の黒色顔料の含有量が少なくなる状態に設けたり、内周縁側の厚さ寸法を次第に薄くなるようにしたり、内周縁側をドット状に形成するとともにドット径が次第に小さくなるように形成したりするなど、いずれの方法が適用できる。【００１８】
また、透光性基材４１０の一面側には、内側反射防止層としての第１の反射防止層４３０が被膜形成されている。なお、本実施形態では、第１の反射防止層４３０は、製造性の観点から画面枠層４２０に積層形成する構成を例示するが、例えば画面枠層４２０の内周縁側に並設するような略同一層の状態で形成させてもよい。
さらに、透光性基材４１０の他面側には、外側反射防止層としての第２の反射防止層４４０が被膜形成されている。
なお、第１の反射防止層４３０および第２の反射防止層４４０は、本体反射防止層３１２と同様の特性、あるいは、それぞれ異なる特性でもよい。また、第１の反射防止層４３０および第２の反射防止層４４０の形成方法は、本体反射防止層３１２と同様に、各種の方法を適用できる。
さらに、透光性基材４１０に、電磁波遮蔽層などを設けてもよい。【００１９】
そして、表示装置１００は、中ケースに表示装置本体３００が組み付けられるとともに、表示面３１１に所定の間隙を介して光学フィルタ４００の一面側である画面枠層４２０が設けられた側が対向する状態に組み付けられる。そして、中ケースとも表示装置本体３００を筐体２００内に収容させ、中ケースを筐体２００に組み付ける。
この状態では、光学フィルタ４００にて筐体２００の開口を閉塞する状態に、光学フィルタ４００の一面側の周縁に筐体２００の開口縁が当接する状態となる。すなわち、光学フィルタ４００の画面枠層４２０が設けられた位置に筐体２００の開口縁が位置する状態で、光学フィルタ４００と筐体２００とが組み付けられる。【００２０】
［表示装置の動作］
次に、上記表示装置の動作について説明する。【００２１】
外光が表示装置１００に照射されると、まず光学フィルタ４００の第２の反射防止層４４０により、透光性基材４１０の第２の反射防止層４４０が設けられる他面側での反射が抑制される。さらに、第２の反射防止層４４０および透光性基材４１０を透過した外光は、第１の反射防止層４３０により、透光性基材４１０の一面側での反射が抑制される。そしてさらに、光学フィルタ４００を透過した外光は、本体反射防止層３１２により、ＰＤＰ本体３１０の表示面３１１での反射が防止される。これら第２の反射防止層４４０、第１の反射防止層４３０、および本体反射防止層３１２による外光の反射を防止することで、写り込みが防止される。
ここで、外光として蛍光灯が、利用者に対して光学フィルタ４００の画面枠層４２０の位置とその内側の表示領域の位置に亘って反射する状態を説明する。この場合、画面枠層４２０の位置で反射する外光に比して、第１の反射防止層４３０の特性により表示領域の位置に反射する外光が例えば反射色が紫色系の第１の反射防止層４３０を用いた場合には紫色系で視認されるおそれがある。しかしながら、第２の反射防止層４４０により、画面枠層４２０の位置で反射する外光も表示領域の位置で反射する外光も、同様に例えば反射色が紫色系の第２の反射防止層４３０を用いた場合には紫色系で視認されることとなり、色目が境界位置で異なる不都合を防止し、一体感を提供する。
一方、表示面３１１に画面表示される画像データの光は、本体反射防止層３１２および光学フィルタ４００を透過して、利用者に視認される。この映像データの光は、本体反射防止層３１２および第１の反射防止層４３０を透過して透光性基材４１０の一面側で反射することを、第１の反射防止層４３０で抑制するとともに、反射して再び表示面に入光する反射光は、本体反射防止層３１２により反射が抑制される。これら本体反射防止層３１２および第１の反射防止層４３０により、映像データの二重像の発生が防止される。【００２２】
［表示装置の作用効果］
上記第一実施形態の表示装置によれば、表示装置本体３００の表示面３１１に本体反射防止層３１２を設け、さらに、表示面３１１に所定の間隙を介して対向配置する光学フィルタ４００の両面に第１の反射防止層４３０および第２の反射防止層４４０を設けるとともに、表示面３１１側となる一面側に透光性基材４１０および第１の反射防止層４３０間で表示装置本体３００の外周縁に対応する周縁領域に遮光性を有する画面枠層４２０を設けている。
このため、従来の化粧枠のような段差を生じずに平滑となり、表示領域となる画面と画面枠との凹凸感がなくなり、視覚上の一体感を利用者に提供できる。すなわち、黒表示と同じ状態である電源ＯＦＦ時のＰＤＰ本体３１０の表示面３１１の表示領域と光学フィルタ４００の画面枠層４２０との境界が見えにくくなり、光学フィルタ４００の全面に亘って境界のない同一面として利用者に認識させることができる。
特に、表示装置１００の構成として、筐体２００の周縁部が光学フィルタ４００の画面枠層４２０が設けられた位置に当接する状態で組み付けられる構成であることから、筐体２００も利用者に視認されることなく、より一体感が向上し、有効である。【００２３】
さらに、画面枠層４２０の位置での光学フィルタ４００の反射色と、ＰＤＰ本体３１０の表示面３１１での反射色との色差が、４０以下となるように画面枠層４２０に形成される。
このことにより、画面枠層４２０と表示面３１１との色の差が認識されなくなり、画面と画面枠との境界が認められず、より視覚上の一体感を提供できる。【００２４】
そして、画面枠層４２０の表面に積層する状態に第１の反射防止層４３０を設けている。
このため、例えば、第１の反射防止層４３０を画面枠層４２０に並列状に設けずとも重ねて印刷形成すればよく、塗布などの簡単な方法で形成でき、一体感を提供できる光学フィルタ４００の製造性を向上できる。【００２５】
また、内周縁側が外周縁側から次第に透光性を有する状態に画面枠層４２０を形成している。
このため、画面枠層４２０の内周縁側では、ＰＤＰ本体３１０の表示面３１１が内周縁側になるに従って透けて見える状態となるので、画面と画面枠との境界部分がよりはっきりしなくなり、より一体感を向上できる。【００２６】
＜第二実施形態＞
［表示装置の構成］
以下に、本発明の表示装置の第二実施形態の構成を図４に基づいて説明する。
なお、第二実施形態において、第一実施形態と同一の構成については、同一の符号を付し、説明を簡略化あるいは省略する。
図４は、第二実施形態における表示装置本体と光学フィルタとの概略構成を示す断面図である。【００２７】
図４において、５００は光学フィルタで、この光学フィルタ５００は、第一実施形態における画面枠層４２０を内周縁側に従って透光性が増大する状態に形成した図３に示す構成の画面枠層４５０に保護色層５１０を積層形成したものである。
保護色層５１０は、電源ＯＦＦ状態でのＰＤＰ本体３１０の表示面３１１の表示領域の色と同一または近似する色となる状態に適宜顔料が含有されて形成されている。この保護色層５１０は、例えば画面枠層４２０と同様に、適宜ＰＤＰ本体３１０の表示領域の色と同一または近似する色となる顔料を調合して含有させて形成すればよい。
なお、画面枠層４２０の内周縁からさらに内縁側に保護色層５１０の一部が延設された状態としてもよい。【００２８】
［表示装置の動作］
次に、上記表示装置の動作について、説明する。【００２９】
電源ＯＦＦ時の場合、画面枠層４５０は内周縁側になるにしたがって透光性が向上するので、画面枠層４５０の内周縁側になるにしたがって積層された保護色層５１０が透けて見える状態となる。
そして、保護色層５１０とこの保護色層５１０より内側に位置するＰＤＰ本体３１０の表示領域の色とは同一または近似するので、保護色層５１０の位置とＰＤＰ本体３１０の表示面３１１の位置とで利用者からの距離の差はあるものの境界がより曖昧となり、かつ外側の画面枠層４５０の黒色から徐々に表示面３１１の色（黒に近い濃灰色）に近づいていくことにより、より画面と画面枠との視覚上の一体感を提供できる。【００３０】
［表示装置の作用効果］
上記第二実施形態の表示装置によれば、上記第一実施形態の構成に加え、内周縁側に従って透光性が増大する画面枠層４５０に、電源ＯＦＦ状態でのＰＤＰ本体３１０の表示領域の色と同一または近似する色の保護色層５１０を積層形成している。
このため、外側から徐々に表示面３１１の色に近づいていくことにより、より画面と画面枠との視覚上の一体感を提供できる。【００３１】
＜第三実施形態＞
［表示装置の構成］
以下に、本発明の表示装置の第三実施形態の構成を図５に基づいて説明する。
なお、第三実施形態において、第一実施形態と同一の構成については、同一の符号を付し、説明を簡略化あるいは省略する。
図５は、第三実施形態における表示装置本体と光学フィルタとの概略構成を示す断面図である。【００３２】
図５において、６００は光学フィルタで、この光学フィルタ６００は、第一実施形態における画面枠層４２０を内周縁側に従って透光性が増大する状態に画面枠層４５０を形成した図３に示す構成に光透過抑制機能層６１０を設けたものである。
光透過抑制機能層６１０は、透光性基材４１０と第２の反射防止層４４０との間に位置して薄膜形成されている。そして、光透過抑制機能層６１０は、例えば色素などを含有し、光の透過率を抑制する透過率抑制機能を有している。この光透過抑制機能層６１０の形成方法は、塗布、蒸着、貼付など、各種方法を適用できる。
そして、光透過抑制機能層６１０は、例えば、全光線透過率の２０％以上８０％以下に形成されることが好ましい。ここで、全光線透過率が２０％より低くなると画面表示された映像データが暗く、良好な表示状態を提供できなくなるおそれがある。一方、全光線透過率が８０％より高くなると、画面と画面枠との境界が見え易くなって画面と画面枠との一体感が得られにくくなるおそれがある。このため、全光線透過率の２０％以上８０％以下に設定することが好ましい。【００３３】
なお、光透過抑制機能層６１０は、内周縁側になるに従って透光性が増大する画面枠層４５０を有した構成を例示したが、第一実施形態の画面枠層４５０を有した構成のもの、保護色層５１０を有した構成のものに適用してもよい。
また、光透過抑制機能層６１０は、赤外線の透過を抑制する近赤外線吸収機能や、ネオン（Ｎｅ）発光の透過を抑制するネオン発光吸収機能としたり、これらを組み合わせた複合層としたり、光透過抑制機能層６１０として赤外線吸収機能層やＮｅカット機能層を積層した積層構造としたりしてもよい。【００３４】
［表示装置の動作］
次に、上記表示装置の動作について、説明する。【００３５】
外光が光学フィルタ６００の画面枠層４５０の位置で反射する外光と、光学フィルタ６００を透過して表示面３１１で反射する外光とは、それぞれ光透過抑制機能層６１０で一部カットされて利用者に視認されることとなる。
このため、画面と画面枠との境界が曖昧となって、視覚上で一体感が得られる。
また、透光性基材４１０に対してＰＤＰ本体３１０と反対側、すなわち透光性基材４１０より外側に形成している。
このため、特に放出する熱量が多いＰＤＰ本体３１０に適用する場合でも、熱による影響が低減することで劣化などを防止でき、長期間安定した光透過抑制の機能を提供できる。【００３６】
［表示装置の作用効果］
上記第三実施形態の表示装置によれば、上記第一実施形態の構成に加え、透光性基材４１０と第２の反射防止層４４０との間に、光透過を抑制する光透過抑制機能層６１０を設けている。
このため、画面と画面枠との境界が曖昧となって視覚上で一体感が得られるとともに、特にＰＤＰ本体３１０のような比較的に放出熱量が多い場合でも熱による影響が低減するので劣化などを防止でき、長期間安定して光透過抑制の機能を提供できる。【００３７】
〔実施形態の変形〕
なお、本発明は、上述した各実施形態に限定されるものではなく、本発明の目的を達成できる範囲で以下に示される変形をも含むものである。【００３８】
すなわち、上記各実施形態では、表示装置本体３００としてＰＤＰ本体３１０を備えた構成を例示したが、例えば液晶パネル（ＬＣＤ：liquid Crystal Display）、ＥＬ（Electro Luminescence）パネル、ＳＥＤ（Surface-conduction Electron-emitter Display）、ＣＲＴ（Cathode-Ray Tube）、リアプロジェクションディスプレイ（ＲＰＪ：Rear Projection Display）など、各種の表示装置に適用できる。
また、画面枠層４２０，４５０の表示面３１１との色差は、４０以下が好ましいが、この限りではない。
さらに、画面枠層４２０，４５０として、例えばロゴやキャラクターなど、文字や図形などを透光性基材４１０側に設けたりしてもよい。【００３９】
その他、本発明の実施の際の具体的な構造および手順は、本発明の目的を達成できる範囲で他の構造などに適宜変更できる。【００４０】
〔実施形態の効果〕
上記実施形態では、表示装置本体３００の表示面３１１に所定の間隙を介して対向配置される光学フィルタ４００の外面側に第２の反射防止層４４０を設けるとともに、光学フィルタ４００の表示面３１１側に表示装置本体３００の外周縁に対応する周縁領域に遮光性を有する画面枠層４２０を設けている。そして、画面枠層４２０の位置での光学フィルタ４００の反射色と、ＰＤＰ本体３１０の表示面３１１での反射色との色差を４０以下としている。
このため、従来の化粧枠のような段差を生じずに平滑となり、電源ＯＦＦ時の表示装置本体３００の表示面３１１の表示領域と光学フィルタ４００の画面枠層４２０との色の差が認識されなくなり、画面と画面枠との境界が認められず、光学フィルタ４００の全面に亘って境界のない同一面として利用者に認識させることができ、視覚上の一体感を利用者に提供できる。
【実施例】
【００４１】
以下、各種の光学フィルタおよびＰＤＰ本体を用いて実施した一体感の評価実験について説明する。
［実験内容］
各種反射防止処理を施したＰＤＰ本体３１０および光学フィルタ４００を所定の間隙で対向して表示装置に組み立て、画面と画面枠との視覚上の一体感について官能評価した。
実験に用いたＰＤＰ本体３１０および光学フィルタ４００の画面枠層４２０におけるＳＣＥ反射色は、表示装置１００に組み立てる前に、図６に示す位置Ａ，ＢでのＳＣＥ反射色をＪＩＳ−Ｚ−８７２２条件Ｃに準拠したＳＣＥ測定法にてそれぞれ測定した。測定には、コニカミノルタホールディングス株式会社製の分光測色計（商品名：ＣＭ−２００２）を用いた。
そして、測定したＳＣＥ反射色の色空間測色値（L*、a*、b*）の値から、以下に示す式により、色差ΔE*abを算出した。
（式）
ΔE*ab＝{(L1*−L2*)2＋(a1*−a2*)2＋(b1*−b2*)2}1/2
そして、１０人の評価者により画面と画面枠との一体感を観察し、一体感があるか否かで評価した。
測定結果を表１に示す。また、一体感ありとの評価者の割合と色差ΔE*abとの関係を示すグラフを図７に示す。【００４２】
【表１】
2010055564.tif 000003
【００４３】
［評価結果］
図７に示すように、色差ΔE*abが４０．５のもの（参考例１）では、１０人中１人が一体感がないとの評価となり、色差ΔE*abの値が大きくなるに従って一体感がなくなることが認められた。
この図７に示す結果から、色差ΔE*abを４０以下に設定することで、画面と画面枠とで一体感のある表示装置１００が得られることがわかる。
【図１】
2010055564.tif 000004
【図２】
2010055564.tif 000005
【図３】
2010055564.tif 000006
【図４】
2010055564.tif 000007
【図５】
2010055564.tif 000008
【図６】
2010055564.tif 000009
【図７】
2010055564.tif 000010
【国際調査報告】
2010055564.tif 000011
2010055564.tif 000012
2010055564.tif 000013
2010055564.tif 000014